(57)【要約】      （修正有）【課題】効果的に広告情報を配信することができる広告配信システム、広告配信管理装置、広告配信管理方法および広告配信管理プログラムを提供する。【解決手段】広告配信管理装置３は、閲覧数判定部３４と配信可否決定部３５とを備える。閲覧数判定部３４は、配信中のコンテンツ情報の閲覧数を判定する。配信可否決定部３５は、前記コンテンツ情報を閲覧中の端末装置に対する広告情報の配信可否を、閲覧数判定部３４によって判定された閲覧数に基づいて決定する。【選択図】図７
2015184754.tif 000002
【特許請求の範囲】
【請求項１】
配信中のコンテンツ情報の閲覧数を判定する閲覧数判定部と、
前記コンテンツ情報を閲覧中の端末装置に対する広告情報の配信可否を、前記閲覧数判定部によって判定された前記閲覧数に基づいて決定する配信可否決定部と
を備えることを特徴とする広告配信管理装置。
【請求項２】
前記配信可否決定部は、
前記コンテンツ情報に応じて定められた前記広告情報の配信タイミングの可否を決定する
ことを特徴とする請求項１に記載の広告配信管理装置。
【請求項３】
前記広告情報を前記端末装置へ配信させる配信要求を、前記配信可否決定部による可否決定に基づいて出力する配信要求部を備える
ことを特徴とする請求項１または２に記載の広告配信管理装置。
【請求項４】
前記配信要求部によって出力された前記配信要求を受け付けた場合、前記広告情報を前記端末装置へ配信する配信部を備える
ことを特徴とする請求項３に記載の広告配信管理装置。
【請求項５】
前記配信可否決定部は、
前記コンテンツ情報を閲覧中の前記端末装置を利用するユーザの属性毎の前記閲覧数に基づいて前記広告情報の配信可否を決定する
ことを特徴とする請求項１〜４のいずれか１つに記載の広告配信管理装置。
【請求項６】
前記配信要求部は、
前記閲覧数と前記コンテンツ情報を閲覧中の前記端末装置を利用するユーザの属性に対応付けられた広告情報を前記端末装置へ配信させる配信要求を出力する
ことを特徴とする請求項３〜５のいずれか一つに記載の広告配信管理装置。
【請求項７】
前記閲覧数判定部によって判定された前記閲覧数に基づいて、前記端末装置へ前記広告情報を配信するタイミングを決定する配信タイミング決定部を備える
ことを特徴とする請求項１〜６のいずれか１つに記載の広告配信管理装置。
【請求項８】
前記配信要求部は、
前記配信タイミング決定部が決定した配信タイミングに応じたて前記配信要求を出力する
ことを特徴とする請求項７に記載の広告配信管理装置。
【請求項９】
前記閲覧数判定部は、
前記コンテンツ情報を閲覧中の複数の端末装置のうち、前記コンテンツ情報の連続閲覧時間が所定時間以上である端末装置の数を前記広告情報の配信可否の決定に用いる前記閲覧数として判定する
ことを特徴とする請求項１〜８のいずれか１つに記載の広告配信管理装置。
【請求項１０】
前記閲覧数判定部は、
前記コンテンツ情報の配信期間を複数の単位期間で分割し、分割された各単位期間内における前記コンテンツ情報の平均閲覧数を、前記広告情報の配信タイミングの決定に用いる前記閲覧数として判定する
ことを特徴とする請求項１〜８のいずれか１つに記載の広告配信管理装置。
【請求項１１】
前記コンテンツ情報は、配信開始時刻が予め定められている
ことを特徴とする請求項１〜１０のいずれか１つに記載の広告配信管理装置。
【請求項１２】
コンテンツ情報を複数の端末装置へ配信するコンテンツ配信装置と、
複数の端末装置へ広告情報を配信する広告配信装置と、
前記広告配信装置へ配信要求を出力し、前記端末装置へ前記広告情報を配信させる広告配信管理装置と、を備え、
前記広告配信管理装置は、
前記コンテンツ配信装置により配信中の前記コンテンツ情報の閲覧数を判定する閲覧数判定部と、
前記コンテンツ情報を閲覧中の端末装置に対する広告情報の配信可否を、前記閲覧数判定部によって判定された前記閲覧数に基づいて決定する配信可否決定部と、
を備えることを特徴とする広告配信システム。
【請求項１３】
コンピュータが実行する広告配信管理方法であって、
配信中のコンテンツ情報の閲覧数を判定する閲覧数判定工程と、
前記コンテンツ情報を閲覧中の端末装置に対する広告情報の配信可否を、前記閲覧数判定部によって判定された前記閲覧数に基づいて決定する配信可否決定工程と
を含むことを特徴とする広告配信管理方法。
【請求項１４】
コンピュータに、
配信中のコンテンツ情報の閲覧数を判定する閲覧数判定手順と、
前記コンテンツ情報を閲覧中の端末装置に対する広告情報の配信可否を、前記閲覧数判定部によって判定された前記閲覧数に基づいて決定する配信可否決定手順と
を実行させることを特徴とする広告配信管理プログラム。
【発明の詳細な説明】
【技術分野】
【０００１】
本発明は、広告配信システム、広告配信管理装置、広告配信管理方法および広告配信管理プログラムに関する。
【背景技術】
【０００２】
近年、インターネットの飛躍的な普及および配信技術の向上により、インターネットを介して多様なコンテンツの閲覧が可能になっている。それに伴い、広告主も、コンテンツの閲覧者をターゲットとして、インターネットを介した広告配信を盛んに行うようになってきた。
【０００３】
例えば、動画などのコンテンツ情報に広告情報を含ませて、動画閲覧中のユーザに広告情報を提供する広告配信が行われている。動画などのコンテンツ情報を広告媒体とし、かかるコンテンツ情報に広告情報を含ませる技術として、コンテンツ情報内に含ませた広告挿入ポイントと、広告情報に含ませた広告タグとを関連付け、広告挿入ポイントを判定した場合に所定の広告情報を表示可能としたものがある（例えば、特許文献１を参照。）。
【先行技術文献】
【特許文献】
【０００４】
【特許文献１】特表２０１２−５２６３２１号公報
【発明の概要】
【発明が解決しようとする課題】
【０００５】
しかしながら、上述の従来の技術などでは、動画などのコンテンツを閲覧中に広告が表示されるのみであるため、広告主が期待するほどの広告効果が得られない場合がある。また、広告配信業者や広告媒体を有する媒体社からすれば、広告料の増収を図るためにも、広告情報を効果的に配信する技術の開発が望まれる。
【０００６】
本願は、上記に鑑みてなされたものであって、効果的に広告情報を配信することができる広告配信システム、広告配信管理装置、広告配信管理方法および広告配信管理プログラムを提供することを目的とする。
【課題を解決するための手段】
【０００７】
本願に係る広告配信管理装置は、閲覧数判定部と配信可否決定部とを備える。閲覧数判定部は、配信中のコンテンツ情報の閲覧数を判定する。配信可否決定部は、前記コンテンツ情報を閲覧中の端末装置に対する広告情報の配信可否を、前記閲覧数判定部によって判定された前記閲覧数に基づいて決定する。
【発明の効果】
【０００８】
実施形態の一態様によれば、広告情報を、より効果的に配信することのできる広告配信システム、広告配信管理装置、広告配信管理方法および広告配信管理プログラムを提供することができる。
【図面の簡単な説明】
【０００９】
【図１】図１は、実施形態に係る広告配信システムの構成例を示す図である。
【図２】図２は、コンテンツ情報の閲覧数と広告情報の配信タイミングとの関係を示す図である。
【図３】図３は、広告配信システムにおける各装置の処理の流れの概要を示す図である。
【図４】図４は、実施形態に係るコンテンツ配信装置のブロック図である。
【図５】図５は、閲覧要求に含まれる情報の一例を示す図である。
【図６】図６は、コンテンツ情報の内部構成の一例を示す図である。
【図７】図７は、実施形態に係る広告配信管理装置のブロック図である。
【図８】図８は、ユーザ情報の一例を示す図である。
【図９】図９は、広告関連情報の一例を示す図である。
【図１０】図１０は、実施形態に係る広告配信装置のブロック図である。
【図１１】図１１は、実施形態に係るコンテンツ配信装置の処理の一例を示すフローチャートである。
【図１２】図１２は、実施形態に係る広告配信管理装置の処理の一例を示すフローチャートである。
【図１３】図１３は、実施形態に係る広告配信装置の処理の一例を示すフローチャートである。
【図１４】図１４は、コンテンツ情報の閲覧数の判定手法の一例を示す図である。
【図１５】図１５は、他の実施形態に係る広告配信管理装置の一例を示すブロック図である。
【図１６】図１６は、広告配信管理装置などの機能を実現するコンピュータの一例を示すハードウェア構成図である。
【発明を実施するための形態】
【００１０】
以下に、本願に係る広告配信システム、広告配信管理装置、広告配信管理方法および広告配信管理プログラムの実施形態について図面を参照しつつ詳細に説明する。なお、この実施形態により本願に係る広告配信システム、広告配信管理装置、広告配信管理方法および広告配信管理プログラムが限定されるものではない。
【００１１】
［１．広告配信システムの概要］
まず、実施形態に係る広告配信システムの概要について説明する。図１は、実施形態に係る広告配信システムの構成例を示す図、図２は、コンテンツ情報の閲覧数と広告情報の配信タイミングとの関係を示す図、図３は、広告配信システムにおける各装置の処理の流れの概要を示す図である。なお、以下においては、動画配信アプリケーションなどによって表示される動画のコンテンツ情報（以下、単に「コンテンツ」とする場合がある）を広告媒体の一例として説明する。しかし、広告媒体としては、例えば、ゲームアプリケーション、書籍閲覧アプリケーション、アニメーション配信アプリケーションによって表示される媒体などであってもよい。
【００１２】
図１に示すように、実施形態に係る広告配信システム１は、コンテンツ配信装置２と、広告配信管理装置３と、広告配信装置４とを備え、これらの装置２，３，４は、通信ネットワーク６を介して通信可能に接続される。そして、通信ネットワーク６には、複数のユーザ端末５１，５２，・・５ｎが接続している。通信ネットワーク６は、例えばインターネットなどである。
【００１３】
ユーザ端末５１，５２，・・５ｎ（以下、総称して「ユーザ端末５」とする場合がある）は、例えば、ユーザによって利用されるＰＣ（Personal  Computer）、ＰＤＡ（Personal  Digital  Assistant）、スマートフォンなどの端末装置であり、ブラウザアプリケーション（以下、ブラウザと記載する）がインストールされている。
【００１４】
コンテンツ配信装置２は、例えば、広告スポットが設定された複数の動画コンテンツなどのコンテンツ情報を記憶したウェブサーバであり、所定のコンテンツ情報を複数のユーザ端末５へ配信する。コンテンツ配信装置２の制御部は、通信ネットワーク６を介して、例えばユーザ端末５のブラウザからの閲覧要求があると、ユーザ端末装置５によって指定された動画コンテンツを提供する。ここでは、コンテンツ情報を、配信開始時刻が予め定められた動画コンテンツをコンテンツ情報とするが(図２参照)、配信開始時刻や終了時刻などは予め定められていなくてもよい。
【００１５】
本実施形態に係る広告配信システム１では、ユーザ端末５のブラウザからの閲覧要求を、広告配信管理装置３も受信するようにしており、この閲覧要求によって広告配信管理装置３は閲覧数を判定することができる。なお、広告配信管理装置３は、ユーザ端末５の閲覧要求を、コンテンツ配信装置２を介して受信するようにしてもよい。
【００１６】
ユーザ端末５からの閲覧要求には、例えば、ユーザ端末５のユーザ識別情報（以下、ユーザＩＤと記載する）およびＩＰアドレスなどが含まれる。ユーザＩＤは、例えば、ＨＴＴＰクッキー（HyperText  Transfer  Protocol  Cookie：以下、クッキーと記載する）である。
【００１７】
広告配信管理装置３は、所定の配信タイミングに設定された広告情報の配信要求を広告配信装置４へ出力し、ユーザ端末５へ広告情報を配信させるものである。このとき、広告配信管理装置３は、ユーザ端末５を利用してコンテンツを閲覧している数に基づいて、配信可否を決定する。すなわち、広告配信管理装置３は、ユーザ端末５を利用してユーザが所定の動画コンテンツを閲覧している数、つまり閲覧数が所定数に達したことを条件に、広告配信装置４に対して、ユーザ端末５に広告情報（以下、広告コンテンツとする場合がある）を配信させるか否かを決定する。
【００１８】
広告配信装置４は、広告配信管理装置３から広告情報の配信要求があった場合、複数のユーザ端末５へ広告情報を配信する。広告配信装置４は、配信中のコンテンツ情報を閲覧中のユーザ端末５へ、例えば閲覧数に基づく配信条件付きの広告情報を配信することができる。ここでは、配信条件を、指定された閲覧数を超えていることとする。
【００１９】
実施形態に係る広告配信システム１では、上述したように、例えば、広告配信業者（広告配信を行うことのできる媒体社でもよい）が、広告主と閲覧数が１０万アクセスに達したときに広告を配信するという条件で広告配信契約をした場合、その条件にしたがって、条件付広告の配信を行うことができる。
【００２０】
図２に示すように、例えば１９時を配信開始時刻とする映画などの動画コンテンツをして配信しており、動画コンテンツには、予め複数の広告スポットＣ１，Ｃ２が設けられているとする。図示するように、この場合の閲覧数Ｎは、動画コンテンツの配信期間中、変動している。図に示す閾値とは、広告主による広告配信条件である閲覧数（例えば１０万アクセス）である。
【００２１】
動画コンテンツの配信が開始され、第１の広告スポットＣ１に到達した時点では、閲覧数Ｎは閾値に達していない。よって、第１の広告スポットＣ１では、条件付広告は配信されない。その場合、例えば、閲覧数Ｎに基づく広告配信条件が設定されていない一般広告である他の広告情報が配信される。
【００２２】
第１の広告スポットＣ１において、他の広告情報が配信された後、引き続き動画コンテンツの配信が継続していく。ある時点で閲覧数Ｎが閾値を超え、その直後に第２の広告スポットＣ２に到達したとすると、広告配信条件を満たしているため、第２の広告スポットＣ２において条件付広告が配信される。
【００２３】
図２で示す例では、動画コンテンツが一旦停止し、各広告スポットにおいて広告コンテンツがユーザ端末５のディスプレイに表示されるものとしたが、例えば、動画コンテンツの表示領域の一部に設けられた広告表示領域、あるいは動画コンテンツの表示領域の外に設けられた広告表示領域に表示されるようにしてもよい。また、動画コンテンツとしては、映画などではなく、スポーツのライブ中継、コンサートなどのライブ中継など、配信開示時刻が決まっているリアルタイム配信のコンテンツであってもよい。
【００２４】
ここで、図３を参照しながら、本実施形態における広告配信システム１の各装置２，３，４の処理の流れについて簡単に説明する。図示するように、ユーザ端末５からの閲覧要求は、コンテンツ配信装置２および広告配信管理装置３で受け付けられる（ステップＳ１）。なお、広告配信管理装置３が受け付けるユーザ端末５からの閲覧要求は、コンテンツ配信装置２を介して受信してもよい。
【００２５】
広告配信管理装置３は、閲覧要求をカウントして閲覧数Ｎを判定する（ステップＳ２）。他方、コンテンツ配信装置２は、閲覧要求を受け付けた後、ユーザ端末５が要求するコンテンツを判別し、（ステップＳ３）、ユーザ要求に応じたコンテンツをユーザ端末５へ配信する（ステップＳ４）。また、コンテンツ配信装置２は、広告配信管理装置３に対し、ユーザ端末５へ配信したコンテンツに設定されている広告スポットに関する情報を広告枠情報として出力する（ステップＳ５）。
【００２６】
コンテンツ配信装置２から広告枠情報を得た広告配信管理装置３は、コンテンツ情報の閲覧数を定期的に検出し、広告配信条件を満たすか否かを判定するために閲覧数Ｎを閾値（例えば１０万アクセス）と比較する（ステップＳ６）。そして、広告配信管理装置３は、比較結果に基づいて広告情報の配信可否を決定する（ステップＳ７）。具体的には、閲覧数Ｎが閾値に達していることを配信条件とする条件付広告の配信可否を決定し、閲覧数Ｎが閾値に達している場合は条件付広告を配信する。他方、閲覧数Ｎが閾値に達していない場合、条件付広告に代えて一般広告を配信させることができる。
【００２７】
さらに、広告配信管理装置３は、ステップＳ１で受け付けたユーザ端末５からの閲覧要求に含まれるユーザＩＤやユーザ属性を判定し(ステップＳ１０)、判定結果に応じて配信広告を決定する（ステップＳ１０）。ここで決定される配信広告は、たとえば条件付広告や一般広告の中でも、ユーザ属性に応じて、より訴求効果の高い広告が選択される。
【００２８】
次いで、広告配信管理装置３は、決定した配信広告（条件付広告または一般広告）の配信要求を広告配信装置４へ出力し（ステップＳ１１）、配信要求を受けた広告配信装置４は、ユーザ端末５に所定の広告情報を配信する（ステップＳ１２）。これによって、広告情報を、より効果的に配信することができ、訴求効果の向上が期待される。なお、動画などのコンテンツを中断して広告を配信する場合、図示は省略したが、広告配信管理装置３は、広告配信装置４へ広告配信要求をする際に、コンテンツ配信装置２に対してコンテンツ停止要求を出力する。そして、広告情報の配信が終了すると、広告配信管理装置３は、コンテンツ配信装置２に対してコンテンツの配信要求を出力し、コンテンツを再開させる。
【００２９】
ところで、ステップＳ７において、例えば配信可と決定された広告情報は、図２に示す例であれば、第２の広告スポットＣ２となる。すなわち、広告配信管理装置３は、コンテンツ情報に応じて定められた広告情報の配信タイミング（第１の広告スポットＣ１や第２の広告スポットＣ２）の可否を決定することになる。なお、上述の図３を用いた概要説明では、配信広告を決定する場合、ユーザ属性に基づいて決定するようにしたが、必ずしもユーザ属性を用いなくてもよい。
【００３０】
また、動画コンテンツが、例えばスポーツのようなライブ中継の場合、サッカーなどのように試合時間が決まっているものは、ある程度予想が立てられるため、広告スポットの設定は可能である。しかし、例えば野球中継などのような場合は動画コンテンツに広告スポットを予め定めておくことは難しい。そのような場合、ゲームが中断したときやイニングの合間であるとか、適宜のタイミングで広告配信要求を出力してもよい。その場合は、広告配信要求を出力するときに、閲覧数Ｎの閾値と比較して配信可否を決定することもできる。
【００３１】
また、動画コンテンツに広告スポットが予め定められていない場合、閲覧数Ｎが閾値に到達、あるいは閾値を超えた時点を配信タイミングとして広告配信要求を出力してもよい。すなわち、広告配信管理装置３において、条件付広告の配信タイミングを決定するようにしてもよい。この場合、条件付広告となる広告コンテンツは、動画コンテンツの閲覧を阻害しないように、動画コンテンツの表示領域内に区画された特定の広告表示領域、あるいは動画コンテンツの表示領域外に設けられた広告表示領域に表示することができる。
【００３２】
以下、広告配信システム１に含まれるコンテンツ配信装置２、広告配信管理装置３および広告配信装置４について説明する。
【００３３】
［２．コンテンツ配信装置２］
まず、コンテンツ配信装置２について説明する。図４は、コンテンツ配信装置２のブロック図、図５はユーザ端末５からの閲覧要求に含まれる情報を示す図、図６はコンテンツ情報の内部構成の一例を示す図である。
【００３４】
図４に示すように、コンテンツ配信装置２は、通信部２１と、制御部２２と、記憶部２３とを有する。
【００３５】
通信部２１は、通信ネットワーク６との間で情報の送受信を行う通信インターフェースであり、制御部２２は、通信部２１および通信ネットワーク６を介して、広告配信管理装置３、広告配信装置４およびユーザ端末５との間で各種の情報を送受信することができる。例えば、通信部２１は、ユーザ端末５からユーザＩＤを含んだコンテンツの閲覧要求を受信し、ユーザの要求に応じたコンテンツ情報をユーザ端末５へ送信する。
【００３６】
記憶部２３は、各種情報を記憶するデバイスである。例えば、記憶部２３としては、ＲＡＭ（Random  Access  Memory）、フラッシュメモリなどの半導体メモリ素子や、ハードディスク、光ディスクなどの記憶装置が挙げられる。記憶部２３は、制御部２２で実行されるＯＳ（Operating  System）やコンテンツ配信プログラム２６などの各種プログラムを記憶するとともに、コンテンツＤＢ２７を有する。
【００３７】
制御部２２は、コンテンツ配信装置２を制御するデバイスであり、コンテンツ情報の配信管理処理を行う。制御部２２は、例えば、ＡＳＩＣ（Application  Specific  Integrated  Circuit）やＦＰＧＡ（Field  Programmable  Gate  Array）等の集積回路により実現される。制御部２２は、内部のＣＰＵ（Central  Processing  Unit）またはＭＰＵ（Micro  Processing  Unit）によって、コンテンツ配信プログラム２６がＲＡＭを作業領域として実行されることによって、閲覧要求受付部２４、コンテンツ配信部２５として機能する。
【００３８】
閲覧要求受付部２４は、ユーザ端末５からの閲覧要求を受け付け、図５に示す情報を取得する。図５に示すように、ユーザ端末５からの閲覧要求には、コンテンツＩＤ、ユーザＩＤ、ＩＰアドレスなどが含まれる。
【００３９】
コンテンツ配信部２５は、閲覧要求受付部２４で得られた情報に基づいて、要求されたコンテンツ情報をコンテンツＤＢ２７より取得して、閲覧要求元のユーザ端末５へ配信する。ここで配信されるコンテンツ情報としては、図６に示すように、動画コンテンツ情報と広告枠情報とが時間軸により対応付けられて予め設定されている。図６に示す動画コンテンツ情報は、図２で示した配信内容の動画に相当し、図６に示す広告枠情報は、図２で示した広告スポットＣ１，Ｃ２に相当する。
【００４０】
［３．広告配信管理装置３］
実施形態に係る広告配信管理装置３について説明する。図７は、実施形態に係る広告配信管理装置３のブロック図、図８は、ユーザ情報の一例を示す図、図９は、広告情報の一例を示す図である。
【００４１】
図７に示すように、広告配信管理装置３は、通信部３１と、制御部３２と、記憶部３３とを有する。
【００４２】
通信部３１は、通信ネットワーク６との間で情報の送受信を行う通信インターフェースであり、制御部３２は、通信部３１および通信ネットワーク６を介して、コンテンツ配信装置２、広告配信装置４およびユーザ端末５との間で各種の情報を送受信することができる。例えば、通信部３１は、ユーザ端末５からユーザＩＤを含んだコンテンツの閲覧要求や、コンテンツ配信装置２から広告枠情報を含むコンテンツ情報を受信し、広告配信装置４へ広告配信要求を送信する。
【００４３】
記憶部３３は、各種情報を記憶するデバイスである。例えば、記憶部３３としては、ＲＡＭ、フラッシュメモリなどの半導体メモリ素子や、ハードディスク、光ディスクなどの記憶装置が挙げられる。記憶部３３は、制御部３２で実行されるＯＳや広告配信管理プログラム３７などの各種プログラムを記憶するとともに、ユーザ情報３８や広告関連情報３９を記憶する。
【００４４】
ユーザ情報３８は、ユーザに関する情報を記憶したテーブルである。図８に示すように、ユーザ情報３８には、ユーザＩＤやユーザ属性などの項目が含まれ、ユーザとユーザ属性とが関連付けられている。ユーザ属性の項目には、ユーザの性別、年齢、職業、趣味などが含まれる。
【００４５】
図８に示す例では、ユーザＩＤ「００００１」は、ユーザ属性として、性別は「女性」であり、年齢は「１９才」であり、職業は「学生」であり、趣味は「旅行」であることを示す。また、ユーザＩＤ「００００２」は、ユーザ属性として、性別は「男性」であり、年齢は「３５才」であり、職業は「会社員」であり、趣味は「スポーツ」であることを示す。
【００４６】
広告関連情報３９は、広告情報に関する情報を記憶したテーブルである。図９に示すように、広告関連情報３９には、広告種別およびユーザ属性の項目が含まれ、広告種別とユーザ属性とが関連付けられている。なお、図９に示す例は、広告主が自動車会社である場合である。
【００４７】
広告種別は、項目が「１」と「２」とに区分される。「１」は閲覧数Ｎに基づく広告配信条件が設定された条件付広告を示し、「２」は閲覧数Ｎに基づく広告配信条件が設定されていない一般広告を示す。ユーザ属性の項目には、性別、世代、職業、趣味などが含まれており、このテーブルを用いることによって、ユーザに見合うと判断される広告情報の配信が可能となる。
【００４８】
図９に示す例では、性別が「男性」、世代が「３０代」、職業が「会社員」、趣味が「スポーツ」のユーザ属性に合致するユーザ向け広告として、広告種別が「１（条件付広告）」であれば「新型ＳＵＶ車広告」で規定される広告が対応付けられている。一方、広告種別「２（一般広告）」であれば「既存ＳＵＶ車広告」で規定される広告が対応付けられている。また、性別が「女性」、世代が「１０代」、職業が「学生」、趣味が「旅行」のユーザ属性に合致するユーザ向け広告としては、広告種別が「１」であれば「新型軽自動車広告」で規定される広告が、広告種別が「２」であれば「既存軽自動車広告」で規定される広告が対応付けられている。かかる「新型ＳＵＶ車広告」、「既存ＳＵＶ車広告」、「新型軽自動車広告」、「既存軽自動車広告」などが広告ＩＤとなる。
【００４９】
制御部３２は、広告配信管理装置３を制御するデバイスであり、広告配信管理処理を行う。制御部３２は、例えば、ＡＳＩＣやＦＰＧＡ等の集積回路により実現される。制御部３２は、内部のＣＰＵまたはＭＰＵによって、広告配信管理プログラム３７がＲＡＭを作業領域として実行されることによって、閲覧数判定部３４、配信可否決定部３５、配信要求部３６として機能する。
【００５０】
閲覧数判定部３４は、ユーザ端末５からの閲覧要求を受け、かかる閲覧要求をカウントして閲覧数Ｎを判定する。そして、閲覧数判定部３４は、その判定結果（閲覧数Ｎ）を配信可否決定部３５および配信要求部３６へ逐次出力する。なお、受信した閲覧要求には、図５に示す情報が含まれているため、閲覧数判定部３４は、閲覧要求に含まれるユーザＩＤからユーザ属性を判定することができる。したがって、閲覧数判定部３４は、例えば、ユーザ属性である性別毎に閲覧数Ｎをカウントすることが可能である。
【００５１】
配信可否決定部３５は、コンテンツ配信装置２から広告枠情報を受信し、閲覧数判定部３４からは判定結果である閲覧数Ｎを逐次受信する。そして、広告枠情報から得たコンテンツ情報に含まれる広告スポットのタイミングと、閲覧数判定部３４から得た閲覧数Ｎとから、条件付広告の配信可否を決定する。すなわち、直近に到来する広告スポットで条件付広告を配信すべきか否かを決定し、それに基づいて広告コンテンツの広告種別を決定して決定信号を配信要求部３６に出力する。すなわち、広告スポット直前における閲覧数Ｎと閾値との比較結果が、例えば、閲覧数条件を満たしている場合は、決定信号として広告種別が「１（条件付広告）」を示す信号を、閲覧条件を満たしていない場合は、決定信号として広告種別が「２（一般広告）」を示す信号を出力する。
【００５２】
また、配信可否決定部３５は、例えば、広告配信が終了したタイミングに応じて閲覧者がコンテンツの続きを見られるように、配信要求部３６がコンテンツ配信装置２に配信要求させるためのコンテンツ配信タイミングについても決定することができる。
【００５３】
配信要求部３６は、コンテンツ配信装置２や広告配信装置４に対し、配信可否決定部３５で決定された種別の動画コンテンツや広告情報をユーザ端末５へ配信させる配信要求を出力する。また、配信要求部３６は、閲覧数判定部３４から逐次閲覧数Ｎを入力しており、配信可否決定部３５からの信号を入力すると、その信号から広告種別が「１」であるか「２」であるかを判定する。広告種別が「１」を示す信号を受信した場合、記憶部３３に記憶されたユーザ情報３８および広告関連情報３９とから、配信すべき広告ＩＤを決定する。他方、広告種別が「１」を示す信号を受信した場合、記憶部３８に記憶されたユーザ情報３８および広告関連情報３９とから、配信すべき広告ＩＤを決定する。そして、配信要求部３６は、決定した広告ＩＤを含む配信要求を、広告配信装置４へ出力する。
【００５４】
［４．広告配信装置４］
図１０は、広告配信装置４のブロック図である。図１０に示すように、広告配信装置４は、通信部４１と、制御部４２と、記憶部４３とを有する。
【００５５】
通信部４１は、通信ネットワーク６との間で情報の送受信を行う通信インターフェースであり、制御部４２は、通信部４１および通信ネットワーク６を介して、広告配信管理装置３、およびユーザ端末５との間で各種の情報を送受信することができる。例えば、通信部４１は、広告配信管理装置３から広告配信要求を受信し、広告配信管理装置３からの配信要求に応じた広告情報をユーザ端末５へ送信する。
【００５６】
記憶部４３は、各種情報を記憶するデバイスである。例えば、記憶部４３としては、ＲＡＭ、フラッシュメモリなどの半導体メモリ素子や、ハードディスク、光ディスクなどの記憶装置が挙げられる。記憶部４３は、制御部４２で実行されるＯＳや広告配信プログラム４６などの各種プログラムを記憶するとともに、広告ＤＢ４７を有する。
【００５７】
広告ＤＢ４７は、広告主との契約による多種多様の広告コンテンツが存在し、それぞれに広告ＩＤが付されている。例えば、広告ＤＢ４７は、広告配信管理装置３の記憶部３３が有する広告関連情報３９のテーブルに記憶された「新型ＳＵＶ車広告」、「既存ＳＵＶ車広告」、「新型軽自動車広告」、「既存軽自動車広告」などの広告ＩＤに対応した広告情報（広告コンテンツ）を有する。
【００５８】
したがって、広告配信装置４は、広告配信管理装置３からの配信要求に含まれる広告ＩＤに対応する広告コンテンツを広告ＤＢ４７から取り出し、ユーザ端末５に配信することができる。
【００５９】
制御部４２は、広告配信装置４を制御するデバイスであり、広告配信処理を行う。制御部４２は、例えば、ＡＳＩＣやＦＰＧＡ等の集積回路により実現される。制御部４２は、内部のＣＰＵまたはＭＰＵによって、広告配信プログラム４６がＲＡＭを作業領域として実行されることによって、広告配信要求受付部４４、広告配信部４５として機能する。
【００６０】
広告配信要求受付部４４は、広告配信管理装置３からの広告配信要求を受ける。また、広告配信部４５は、広告配信要求受付部４４で受付けた広告配信要求に応じた広告を広告ＤＢから取得して配信する。
【００６１】
このように、本実施形態に係る広告配信システム１によれば、例えば、広告主との間で、閲覧数Ｎが所定数に達したときに広告を配信するという条件で広告配信契約をした場合、その条件にしたがって多数のユーザに広告を閲覧させることができる。そのため、広告の訴求効果の向上が期待できる。
【００６２】
［５．広告配信システム１の処理フロー］
ここで、実施形態に係る広告配信システム１の各装置２，３，４における処理の手順について説明する。以下においては、図１１を参照してコンテンツ配信装置２によるコンテンツ配信処理を、図１２を参照して広告配信管理装置３の広告配信管理処理を、図１３を参照して広告配信装置４の広告配信処理を説明する。
【００６３】
（コンテンツ配信装置２のコンテンツ配信処理）
図１１は、実施形態に係るコンテンツ配信装置２の処理の一例を示すフローチャートである。かかる動作は、コンテンツ配信装置２の制御部２２によって繰り返し実行される。図１１に示すように、コンテンツ配信装置２の制御部２２は、ユーザ端末５からの閲覧要求を受付けるまで待機しており、閲覧要求を受け付けると（ステップＳ１０１：Ｙｅｓ）、閲覧要求の含まれるコンテンツＩＤから要求されたコンテンツを識別する（ステップＳ１０２）。
【００６４】
次いで、制御部２２は、識別したコンテンツを閲覧要求したユーザ端末５へ配信する（ステップＳ１０３）。また、制御部２２は、ユーザ端末５へ配信したコンテンツ情報に設定されている広告枠情報を広告配信管理装置３へ出力する（ステップＳ１０４）。なお、閲覧要求に含まれるコンテンツＩＤから広告枠情報は得ることができるため、ステップＳ１０３の処理とステップＳ１０４の処理はどちらが先であっても構わない。
【００６５】
制御部２２は、ユーザ端末５から閲覧中止要求を受付けるまで動画コンテンツの配信を継続しており（ステップＳ１０５：Ｎｏ）、ユーザ端末５から閲覧中止要求を受付けると（ステップＳ１０５：Ｙｅｓ）、処理をステップＳ１０７に移して動画コンテンツの配信を中止し、コンテンツ配信処理を終了する。ここで、ユーザ端末５からの閲覧中止要求は、ユーザ端末５におけるストップボタン操作などにより発生するものである。
【００６６】
また、制御部２２は、配信中の動画コンテンツの終了時間になったか否かを判定し（ステップＳ１０６）、終了時間ではないと判定すると、動画コンテンツ配信を継続する（ステップＳ１０６：Ｎｏ）。他方、終了時間であると判定すると（ステップＳ１０６：Ｙｅｓ）、制御部２２は、動画コンテンツの配信を終了し（ステップＳ１０８）、コンテンツ配信処理を終える。
【００６７】
（広告配信管理装置３の広告配信管理処理）
図１２は、実施形態に係る広告配信管理装置３の処理の一例を示すフローチャートである。かかる動作は、広告配信管理装置３の制御部３２によって繰り返し実行される。図１２に示すように、広告配信管理装置３の制御部３２は、ユーザ端末５からの閲覧要求を受付けるまで待機しており、閲覧要求を受け付けると（ステップＳ２０１：Ｙｅｓ）、閲覧要求をカウントして、コンテンツ配信装置２から配信中の動画コンテンツの現時点における閲覧数Ｎを判定する（ステップＳ２０２）。
【００６８】
また、制御部３２は、コンテンツ配信装置２から送信された広告枠情報を取得し（ステップＳ２０３）、コンテンツ配信装置２が配信中の動画コンテンツに設定された広告スポットの設定時刻などを認識し、広告配信時刻に達するまで待機し（ステップＳ２０４：Ｎｏ）、広告配信時刻に達したと判定すると（ステップＳ２０４：Ｙｅｓ）、制御部３２は、閲覧数Ｎとその広告配信条件となる閾値とを比較する（ステップＳ２０５）。
【００６９】
続いて、制御部３２は、ステップＳ２０５の結果に基づいて、広告情報の配信可否を決定する（ステップＳ２０６）。すなわち、制御部３２は、この時点で閲覧数の条件（閲覧数Ｎが閾値に達したか超えた）を満たしているか否かを判定し、条件を満たしていれば（ステップＳ２０６：Ｙｅｓ）、条件付広告を配信すると決定する（ステップＳ２０７）。
【００７０】
続いて、制御部３２は、ユーザ属性を判定し（ステップＳ２０８）、記憶部３３に記憶されたユーザ情報３８および広告関連情報３９とから、配信すべき広告ＩＤを決定する（ステップＳ２０９）。そして、制御部３２は、決定した広告ＩＤを含む広告配信要求を広告配信装置４に出力し（ステップＳ２１０）、この広告配信管理処理を終了する。
【００７１】
他方、ステップＳ２０６で、条件を満たしていない場合（ステップＳ２０６：Ｎｏ）、制御部３２は、一般広告を配信すると決定し（ステップＳ２１１）、処理をステップＳ２０８に移す。続いて、制御部３２は、一般広告の中で配信すべき広告ＩＤを決定し（ステップＳ２０９）、決定した広告ＩＤを含む広告配信要求を広告配信装置４に出力する（ステップＳ２１０）。
【００７２】
（広告配信装置４の広告配信処理）
図１３は、実施形態に係る広告配信装置４の処理の一例を示すフローチャートである。かかる動作は、広告配信装置４の制御部４２によって繰り返し実行される。図１３に示すように、広告配信装置４の制御部４２は、広告配信管理装置３からの広告配信要求が入力されるまで待機している（ステップＳ３０１：Ｎｏ）。そして、広告配信要求を受け付けると（ステップＳ３０１：Ｙｅｓ）、広告配信要求に含まれた広告ＩＤに応じた広告コンテンツを記憶部４３の広告ＤＢ４７から取り出してユーザ端末５に配信し（ステップＳ３０２）、この広告配信処理を終了する。
【００７３】
［６．その他の実施形態］
上述してきた実施形態においては、閲覧数Ｎを、動画コンテンツ配信期間中の所定時間ごとに検出して判定したが、閲覧数Ｎを予測値で判定しても構わない。例えば、図２において、１９時から配信された動画コンテンツの閲覧数Ｎは、多少の変動を伴いながらも、時間の経過とともに増加傾向にあることが分かる。よって、広告配信管理装置３において、閲覧数判定部３４から閲覧数Ｎの情報を取得している配信可否決定部３５は、２０時３０分に設定されている第２の広告スポットＣ２を迎える前の時点において、第２の広告スポットＣ２の時点の閲覧数Ｎを予測することができる。すなわち、閲覧数Ｎの増加傾向から、第２の広告スポットＣ２の時点では閾値を超えることを予測して、第２の広告スポットＣ２では、条件付広告を配信するタイミングであると判断することが可能となる。
【００７４】
また、上述してきた実施形態においては、広告配信管理装置３は、閲覧数判定部３４によって判定された閲覧数Ｎに基づいて、ユーザ端末５へ配信する広告情報の配信可否を決定するようにした。すなわち、基本的には、広告の配信タイミングが先行して決められており、そのタイミングでの広告の配信可否を決定するようにした。しかし、広告配信管理装置３は、タイミング決定部を備えた構成とし、閲覧数判定部３４によって判定された閲覧数Ｎに基づいて、ユーザ端末５へ配信する広告情報の配信タイミングを決定することもできる。この場合、配信要求部３６は、配信タイミング決定部が決定した配信タイミングに応じた広告情報の配信要求を出力することができる。
【００７５】
例えば、第１閲覧数区分〜第ｎ閲覧数区分というように、閲覧数Ｎの大小に応じて閲覧数区分を設定しておき、各閲覧数区分に対応付けて複数の広告を用意しておく。そして、タイミング決定部により、閲覧数を判定し、判定結果が示す閲覧数に応じた閲覧数区分に対応付けられた広告を適宜選択して配信するのである。この場合も、配信する広告情報は、コンテンツ情報を閲覧中のユーザ端末５を利用するユーザの属性に対応付けたものとすることができる。
【００７６】
また、閲覧数Ｎを時間平均値で判定しても構わない。図１４は、コンテンツ情報の閲覧数Ｎの判定手法の一例を示す図である。図示するように、動画コンテンツの配信期間全体を複数の単位期間で分割する。そして、分割された各単位期間内における平均閲覧数を、広告情報の配信タイミングの決定に用いる閲覧数Ｎとするものである。したがって、広告配信管理装置３の配信可否決定部３５は、平均閲覧数を用いて広告情報の配信可否を決定する。かかる平均値による閲覧数Ｎを用いることにより、ザッピングなどが除外された実質的な閲覧者への広告提供が可能となる。
【００７７】
また、上述してきた実施形態においては、広告配信管理装置３は、閲覧要求を受け付けると閲覧数Ｎにカウントするようにしたが、配信中のコンテンツ情報を閲覧中のユーザ端末５のうち、コンテンツ情報の連続閲覧時間が所定時間以上であるユーザ端末５の数を閲覧数Ｎとすることができる。かかる条件の下で判定した閲覧数Ｎを用いることにより、この場合においても、ザッピングなどが除外された実質的な閲覧数Ｎに基づいた広告配信が可能となる。
【００７８】
また、上述してきた実施形態では、広告配信管理装置３の配信要求部３６は、閲覧数Ｎとコンテンツ情報を閲覧中のユーザ端末５を利用するユーザのユーザ属性に対応付けられた広告情報をユーザ端末５へ配信させるようにしていた。すなわち、図９に示したように、ユーザ属性に応じて広告ＩＤを異ならせ、ユーザ属性を配信する広告を選択することに利用していた。
【００７９】
しかし、ユーザ属性を広告配信タイミングの決定に利用することもできる。すなわち、広告配信管理装置３の配信可否決定部３５は、コンテンツ情報を閲覧中のユーザ端末５を利用するユーザのユーザ属性毎の閲覧数Ｎに基づいて広告情報の配信可否を決定することもできる。この場合、広告主との間に結ばれる広告配信契約における広告配信条件として、男性ユーザの閲覧数Ｎが所定数以上、あるいは学生で趣味が旅行であるユーザの閲覧数Ｎが所定数以上などという条件にも対応することができ、有利な広告配信契約を結ぶことが可能となる。
【００８０】
また、上述してきた実施形態では、コンテンツ配信装置２を独立したウェブサーバであるとしたが、広告配信管理装置３に広告配信機能をもたせてもよい。図１５は、他の実施形態に係る広告配信管理装置の一例を示すブロック図である。図示するように、他の実施形態に係る広告配信管理装置３００は、通信部３０１と、制御部３０２と、記憶部３０３とを有する。
【００８１】
そして、記憶部３０３は、図７で示した広告配信管理装置３の記憶部３３が有する広告配信管理プログラム３７、ユーザ情報３８、広告関連情報３９とそれぞれ同等の広告配信管理プログラム３０７、ユーザ情報３０８、広告関連情報３０９を有する。そして、それに加えて、記憶部３０３は、図１０に示す広告配信装置４の記憶部４３が備える広告配信プログラム４６、広告ＤＢ４７に相当する広告配信プログラム４０６、広告ＤＢ４０７を有する。
【００８２】
また、他の実施形態に係る広告配信管理装置３００の制御部３０２は、図７で示した広告配信管理装置３の制御部３２が備える閲覧数判定部３４、配信可否決定部３５、配信要求部３６に相当する閲覧数判定部３０４、配信可否決定部３０５、配信要求部３０６を備える。そして、それに加えて、制御部３０２は、図１０に示す広告配信装置４の制御部４２が備える広告配信部４５に相当する広告配信部４０５を備えている。かかる構成により、広告配信管理装置３００が広告配信処理についても実行することができる。なお、図示は省略したが、広告配信管理装置３，３００に、コンテンツ配信装置２と同等なコンテンツ配信機能をもたせることもできる。
【００８３】
［７．ハードウェア構成］
なお、実施形態におけるコンテンツ配信装置２、広告配信管理装置３および広告配信装置４は、例えば、図１６に示すような構成のコンピュータ７０によって実現される。図１６は、広告配信管理装置３の機能を実現するコンピュータの一例を示すハードウェア構成図であるが、コンテンツ配信装置２および広告配信装置４についても同様な構成のコンピュータ７０によって実現される。コンピュータ７０は、ＣＰＵ（Central  Processing  Unit）７１、ＲＡＭ（Random  Access  Memory）７２、ＲＯＭ（Read  Only  Memory）７３、ＨＤＤ（Hard  Disk  Drive）７４、通信インターフェース（Ｉ／Ｆ）７５、入出力インターフェース（Ｉ／Ｆ）７６、およびメディアインターフェース（Ｉ／Ｆ）７７を備える。
【００８４】
ＣＰＵ７１は、ＲＯＭ７３またはＨＤＤ７４に格納されたプログラムに基づいて動作し、各部の制御を行う。ＲＯＭ７３は、コンピュータ７０の起動時にＣＰＵ７１によって実行されるブートプログラムや、コンピュータ７０のハードウェアに依存するプログラム等を格納する。
【００８５】
ＨＤＤ７４は、ＣＰＵ７１によって実行されるプログラムおよび当該プログラムによって使用されるデータ等を格納する。通信インターフェース７５は、通信部３１に対応し、通信ネットワーク６を介して他の機器からデータを受信してＣＰＵ７１へ送り、ＣＰＵ７１が生成したデータを、通信ネットワーク６を介して他の機器へ送信する。
【００８６】
ＣＰＵ７１は、入出力インターフェース７６を介して、ディスプレイやプリンタ等の出力装置、および、キーボードやマウス等の入力装置を制御する。ＣＰＵ７１は、入出力インターフェース７６を介して、入力装置からデータを取得する。また、ＣＰＵ７１は、生成したデータを、入出力インターフェース７６を介して出力装置へ出力する。
【００８７】
メディアインターフェース７７は、記録媒体７８に格納されたプログラムまたはデータを読み取り、ＲＡＭ７２を介してＣＰＵ７１に提供する。ＣＰＵ７１は、当該プログラムを、メディアインターフェース７７を介して記録媒体７８からＲＡＭ７２上にロードし、ロードしたプログラムを実行する。記録媒体７８は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【００８８】
コンピュータ７０が広告配信管理装置３として機能する場合、コンピュータ７０のＣＰＵ７１は、ＲＡＭ７２上にロードされたプログラムを実行することにより、閲覧数判定部３４、配信可否決定部３５および配信要求部３６の各機能を実現する。また、ＨＤＤ７４は、記憶部３３の機能を実現し、ユーザ情報３８および広告関連情報３９などが格納される。
【００８９】
コンピュータ７０のＣＰＵ７１は、これらのプログラムを、記録媒体７８から読み取って実行するが、他の例として、他の装置から、通信ネットワーク６を介してこれらのプログラムを取得してもよい。
【００９０】
［８．効果］
実施形態にかかる広告配信システム１の広告配信管理装置３は、閲覧数判定部３４と、配信可否決定部３５とを有する。閲覧数判定部３４は、コンテンツ配信装置２から配信中のコンテンツ情報の閲覧数Ｎを判定する。配信可否決定部３５は、コンテンツ情報を閲覧中のユーザ端末５に対する広告情報の配信可否を、閲覧数判定部３４によって判定された閲覧数Ｎに基づいて決定する。
【００９１】
このように、広告配信管理装置３は、コンテンツ情報を閲覧中のユーザ端末５に対し、閲覧数Ｎに基づいて広告情報を配信することができることから、広告料などの設定を合理的に行うことが可能となる。また、閲覧数Ｎが多い場合に広告を配信すれば、広告による訴求効果の向上が見込める。
【００９２】
また、広告配信管理装置３の配信可否決定部３５は、コンテンツ情報に応じて定められた配信タイミング（広告スポットＣ１，Ｃ２など）の可否を決定する。
【００９３】
これにより、例えば、配信するコンテンツ情報に応じ、広告を配信するタイミングも適切な位置に予め定まっているため、閲覧者の気分を損なうようなタイミングで広告を配信するおそれがない。
【００９４】
また、広告配信管理装置３は、広告情報を前記端末装置へ配信させる配信要求を、配信可否決定部３５による可否決定に基づいて出力する配信要求部３６を備える。
【００９５】
これにより、広告配信管理装置３そのものにはコンテンツ配信機能や広告配信機能がなくても、他に設けられたコンテンツ配信装置（ウェブサーバなど）２や広告配信装置（広告配信業者）４などを用いて効果的な広告配信が可能となる。
【００９６】
また、広告配信管理装置３は、配信要求部３６によって出力された配信要求を受け付けた場合、広告情報をユーザ端末５へ配信する広告配信部４０５を備える。
【００９７】
これにより、システム的に広告配信装置（広告配信業者）４を介すことなく、広告配信管理装置３のみでも効果的な広告配信が可能となる。したがって、例えば媒体社が広告配信管理装置３を備えることで、媒体社の収益向上を図ることが可能となる。
【００９８】
また、広告配信管理装置３の配信可否決定部３５は、コンテンツ情報を閲覧中のユーザ端末５を利用するユーザの属性毎の閲覧数Ｎに基づいて広告情報の配信可否を決定する。
【００９９】
これにより、広告商品の需要が高いと思われるユーザ層のより多くの人に広告を提供することができ、より効果的な広告配信とすることができる。
【０１００】
また、広告配信管理装置３の配信要求部３６は、閲覧数Ｎとコンテンツ情報を閲覧中のユーザ端末５を利用するユーザの属性に対応付けられた広告情報をユーザ端末５へ配信させる配信要求を出力する。
【０１０１】
これにより、コンテンツを閲覧しているユーザに対し、より相応しい広告情報をより多くの人に提供することが可能となるとともに、より細やかな広告配信が可能となる。
【０１０２】
また、広告配信管理装置３は、閲覧数判定部３４によって判定された閲覧数Ｎに基づいて、ユーザ端末５へ広告情報を配信するタイミングを決定する配信タイミング決定部を備える。
【０１０３】
かかる構成により、きめ細かな広告配信が可能となり、広告効果の向上が期待できる。
【０１０４】
また、広告配信管理装置３の配信要求部３６は、配信タイミング決定部が決定した配信タイミングに応じて配信要求を出力する。
【０１０５】
これにより、コンテンツ情報に広告を提供するにしても、例えば閲覧数が多いときに広告配信が行え、より多くの閲覧者に広告を見てもらうことができるため、広告効果を高めることができる。したがって、例えば、広告主との間で有利な広告配信契約を結ぶことも可能となる。
【０１０６】
広告配信管理装置３の閲覧数判定部３４は、コンテンツ情報を閲覧中の複数のユーザ端末５のうち、コンテンツ情報の連続閲覧時間が所定時間以上であるユーザ端末５の数を広告情報の配信タイミングの決定に用いる閲覧数Ｎとして判定する。
【０１０７】
これにより、ザッピングなどが除外された実質的な閲覧数Ｎに基づいた広告提供が可能となる。
【０１０８】
広告配信管理装置３の閲覧数判定部３４は、コンテンツ情報の配信期間を複数の単位期間で分割し、分割された各単位期間内におけるコンテンツ情報の平均閲覧数を、広告情報の配信タイミングの決定に用いる閲覧数Ｎとして判定する。
【０１０９】
これにより、ザッピングなどが除外された実質的な閲覧数Ｎに基づいた広告提供が可能となる。
【０１１０】
コンテンツ配信装置２から配信されるコンテンツ情報は、配信開始時刻が予め定められているものとする。すなわち、コンテンツ情報は、ライブ配信のようにリアルタイムで配信する動画コンテンツとすることができる。
【０１１１】
したがって、例えば広告主などに対して魅力的な広告配信管理が行え、広告主との間で有利な広告配信契約を結ぶことも可能となる。
【０１１２】
［９．その他］
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１１３】
上述したコンテンツ配信装置２、広告配信管理装置３および広告配信装置４は、複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。
【符号の説明】
【０１１４】
１  広告配信システム
２  コンテンツ配信装置
３  広告配信管理装置
４  広告配信装置
５  ユーザ端末（端末装置）
６  通信ネットワーク
３４  閲覧数判定部
３５  配信可否決定部
３６  配信要求部
Ｎ  閲覧数
【図１】
2015184754.tif 000003
【図２】
2015184754.tif 000004
【図３】
2015184754.tif 000005
【図４】
2015184754.tif 000006
【図５】
2015184754.tif 000007
【図６】
2015184754.tif 000008
【図７】
2015184754.tif 000009
【図８】
2015184754.tif 000010
【図９】
2015184754.tif 000011
【図１０】
2015184754.tif 000012
【図１１】
2015184754.tif 000013
【図１２】
2015184754.tif 000014
【図１３】
2015184754.tif 000015
【図１４】
2015184754.tif 000016
【図１５】
2015184754.tif 000017
【図１６】
2015184754.tif 000018